【手続補正書】
【提出日】平成26年4月15日(2014.4.15)
【手続補正１】
【補正対象書類名】特許請求の範囲
【補正対象項目名】全文
【補正方法】変更
【補正の内容】
【特許請求の範囲】
【請求項１】
制御対象に対して個別に電力供給状態又は電力遮断状態に遷移させる遷移手段と、
前記電力遮断状態で移動体の移動を監視する監視手段と、
前記監視手段で前記移動体が前記制御対象に接近することが判定された場合に、前記制御対象を電力供給状態に遷移させるように指示する指示手段と、
前記接近で電力が供給されて前記移動体の特徴画像を撮像する撮像手段と、
前記撮像手段で撮像した特徴画像の画像情報に基づいて個体認識を実行する個体認識手段と、
を有する電力供給制御装置。
【請求項２】
前記制御対象が、電力の供給を受けて処理を実行する処理部と、前記処理部の動作指示情報を受け付ける機能並びに前記処理部の動作状態情報を報知する機能を備えたインターフェイス部と、前記処理部及び前記インターフェイス部のそれぞれの動作を制御する制御部と、を含み、
前記個体認識手段は、前記使用者が少なくとも前記インターフェイス部の操作するまでに個体認識を完了させる請求項１記載の電電力供給制御装置。
【請求項３】
前記監視手段が、検出領域内での少なくとも移動体の移動を検出する焦電型検出手段、少なくとも熱源から受ける熱量に応じた電気信号を出力する熱源検出素子を縦横に複数個配列することで多画素化された二次元配列型熱源検出手段、検出領域内での移動体の有無を検出する反射型検出手段、の何れか１つを含む請求項１又は請求項２記載の電力供給制御装置。
【請求項４】
請求項１〜請求項３の何れか１項記載の電力供給制御装置を備え、
前記制御対象が、原稿画像から画像を読み取る画像読取部、画像情報に基づいて記録用紙に画像を形成する画像形成部、予め相互に定められた通信手順の下で画像を送信先へ送受信するファクシミリ通信制御部の少なくとも１つを含む画像処理装置。
【請求項５】
コンピュータに、
電力供給状態又は電力遮断状態に遷移させる制御対象が電力遮断状態のとき、移動体の移動を監視し、
前記移動体が前記制御対象に接近することが判定された場合に、前記制御対象を選択的に電力供給状態に遷移させるように指示し、
前記移動体の接近で電力が供給される撮像手段で前記移動体の特徴画像を撮像し、
当該撮像した特徴画像の画像情報に基づいて個体認識処理をする機能を実行させる電力供給制御プログラム。
【手続補正２】
【補正対象書類名】明細書
【補正対象項目名】００１０
【補正方法】変更
【補正の内容】
【００１０】
請求項１に記載の発明は、制御対象に対して個別に電力供給状態又は電力遮断状態に遷移させる遷移手段と、前記電力遮断状態で移動体の移動を監視する監視手段と、前記監視手段で前記移動体が前記制御対象に接近することが判定された場合に、前記制御対象を電力供給状態に遷移させるように指示する指示手段と、前記接近で電力が供給されて前記移動体の特徴画像を撮像する撮像手段と、前記撮像手段で撮像した特徴画像の画像情報に基づいて個体認識を実行する個体認識手段と、を有している。
【手続補正３】
【補正対象書類名】明細書
【補正対象項目名】００１３
【補正方法】変更
【補正の内容】
【００１３】
請求項４に記載の発明は、請求項１〜請求項３の何れか１項記載の電力供給制御装置を備え、前記制御対象が、原稿画像から画像を読み取る画像読取部、画像情報に基づいて記録用紙に画像を形成する画像形成部、予め相互に定められた通信手順の下で画像を送信先へ送受信するファクシミリ通信制御部の少なくとも１つを含む画像処理装置である。
【手続補正４】
【補正対象書類名】明細書
【補正対象項目名】００１４
【補正方法】変更
【補正の内容】
【００１４】
請求項５に記載の発明は、コンピュータに、電力供給状態又は電力遮断状態に遷移させる制御対象が電力遮断状態のとき、移動体の移動を監視し、前記移動体が前記制御対象に接近することが判定された場合に、前記制御対象を選択的に電力供給状態に遷移させるように指示し、前記移動体の接近で電力が供給される撮像手段で前記移動体の特徴画像を撮像し、当該撮像した特徴画像の画像情報に基づいて個体認識処理をする機能を実行させる電力供給制御プログラムである。
【手続補正５】
【補正対象書類名】明細書
【補正対象項目名】００２３
【補正方法】変更
【補正の内容】
【００２３】
画像処理装置１０は、記録用紙に画像を形成する画像形成部２４０と、原稿画像を読み取る画像読取部２３８と、ファクシミリ通信制御回路２３６を備えている。画像処理装置１０は、メインコントローラ２００を備えており、画像形成部２４０、画像読取部２３８、ファクシミリ通信制御回路２３６を制御して、画像読取部２３８で読み取った原稿画像の画像データを一時的に記憶したり、読み取った画像データを画像形成部２４０又はファクシミリ通信制御回路２３６へ送出したりする。
【手続補正６】
【補正対象書類名】明細書
【補正対象項目名】００３２
【補正方法】変更
【補正の内容】
【００３２】
電源装置２０２では、メインコントローラ２００に電力を供給すると共に（図３の点線参照）、その他のデバイスであるファクシミリ通信制御回路２３６、画像読取部２３８、画像形成部２４０、ＵＩタッチパネル２１６のそれぞれに対して独立して電力を供給する電力供給線３５Ａ〜３５Ｄが設けられている。このため、メインコントローラ２００では、各処理部（デバイス）に対して個別に電力供給（電力供給モード）、或いは電力供給遮断（スリープモード）し、所謂部分節電制御を可能としている。
【手続補正７】
【補正対象書類名】明細書
【補正対象項目名】００４７
【補正方法】変更
【補正の内容】
【００４７】
ファクシミリ通信制御回路電力供給部２６４は、２４Ｖ電源部２５０Ｈ（ＬＶＰＳ２）と５Ｖ電源部２５０Ｌ（ＬＶＰＳ１）を入力源として、第５のサブ電源スイッチ２７４（以下、「ＳＷ−５」という場合がある。）を介して、ファクシミリ通信制御回路２３６に接続されている。
【手続補正８】
【補正対象書類名】明細書
【補正対象項目名】００４８
【補正方法】変更
【補正の内容】
【００４８】
ＵＩタッチパネル電力供給部２６６は、５Ｖ電源部２５０Ｌ（ＬＶＰＳ１）と２４Ｖ電源部２５０Ｈ（ＬＶＰＳ２）を入力源として、第６のサブ電源スイッチ２７６（以下、「ＳＷ−６」という場合がある。）を介して、ＵＩタッチパネル２１６（バックライト部２１６ＢＬを含む）に接続されている。なお、ＵＩタッチパネル２１６の本来の機能（バックライト部２１６ＢＬを除く機能）へは、監視制御部２４から電源を供給可能としてもよい。
【手続補正９】
【補正対象書類名】明細書
【補正対象項目名】００４９
【補正方法】変更
【補正の内容】
【００４９】
前記第２のサブ電源スイッチ２６８、第３のサブ電源スイッチ２７０、第５のサブ電源スイッチ２７４、第６のサブ電源スイッチ２７６は、それぞれ前記第１のサブ電源スイッチ２５６と同様に、メインコントローラ２００の電源供給制御回路２５２からの電源選択選択信号に基づいて、オン・オフ制御される。図示していないが、２４Ｖ電源部２５０Ｈと５Ｖ電源部２５０Ｌが供給されるスイッチや配線は、２系統で構成されている。また電源スイッチ２６８、２７０、２７４、２７６は電源装置２０２でなく、電力供給先の各デバイス内に配置されても良い。また、図示していない画像形成部の定着部（図３に示す「Ｆｕｓｅｒ」に相当）は、商用電源２４２（例えば、１００Ｖ）が、第１のサブ電源スイッチ２５６（「ＳＷ−１」）の下流側から直接供給され、画像形成部２４０で必要なときのみ通電される。
【手続補正１０】
【補正対象書類名】明細書
【補正対象項目名】００５６
【補正方法】変更
【補正の内容】
【００５６】
ここで、スリープモードで監視するためには、監視制御部２４以外に、節電制御ボタン２６や各検出部には節電中に必要最小限の電力を供給しておくことが好ましい。すなわち、電力非供給状態であるスリープモードであっても、予め定めた電力以下（例えば、０．５Ｗ以下）であり電力供給を行うか否かの判別制御に必要な電力の供給を受ける場合がある。このときの電力供給元は、商用電源２４２に限定されるものではなく、蓄電池、ソーラー電池や、商用電源２４２から電力が供給されているときに充電される充電池等であってもよい。商用電源２４２を用いないことで、スリープモード中の商用消費電力（電力代）を「０」とすることが可能である。
【手続補正１１】
【補正対象書類名】明細書
【補正対象項目名】００７８
【補正方法】変更
【補正の内容】
【００７８】
（第１の人感センサ２８、第２の人感センサ２９、認識カメラ３０、並びに周辺構造）
図６に示される如く、第１の人感センサ２８、第２の人感センサ２９は、画像処理装置１０の縦長矩形状のピラー部３０２に取り付けられている。ピラー部３０２は、図２に示すように、前記画像読取部２３８を覆う上筐体と画像形成部２４０を覆う下筐体とを連結する部分であり、その内部は記録用紙搬送系等が組み付けられている。
【手続補正１２】
【補正対象書類名】明細書
【補正対象項目名】０１２６
【補正方法】変更
【補正の内容】
【０１２６】
図８（Ｂ）は、使用者６０（実線）が第１の人感センサ２８の検出領域Ｆ内に進入した状態であり、この時点で、第１の人感センサ２８は移動体を検出する。従って、第２の人感センサ２９及び認識カメラ３０が通電される。この状態では、使用者６０の画像処理装置１０の接近を第２の人感センサ２９で検出可能となる。また、認識カメラ３０の撮影も開始され、個体認識処理が実行される。
【手続補正１３】
【補正対象書類名】明細書
【補正対象項目名】０１３３
【補正方法】変更
【補正の内容】
【０１３３】
Ｗ    壁面
１０    画像処理装置
２０    ネットワーク通信回線網
２１    ＰＣ
２４    監視制御部
２６    節電制御ボタン
２８    第１のセンサ（第１の人感センサ）
２９    第２のセンサ（第２の人感センサ）
３０    第３のセンサ（認識カメラ）
３３Ａ〜３３Ｄ    バス
３３Ｅ    ハーネス
３５Ａ〜３５Ｄ    電力供給線
６０    使用者
２００    メインコントローラ
２０２    電源装置
２０４    ＣＰＵ
２０６    ＲＡＭ
２０８    ＲＯＭ
２１０    Ｉ／Ｏ
２１２    バス
２１４    ＵＩ制御回路
２１６    ＵＩタッチパネル
２１６ＢＬ    ＵＩタッチパネル用バックライト部
２１８    ハードディスク
２２０    タイマ回路
２２２    通信回線Ｉ／Ｆ
２３６    ファクシミリ通信制御回路
２３８    画像読取部
２４０    画像形成部
２４２    商用電源
２４３    配線プレート
２４４    入力電源線
２４５    コンセント
２４６    メインスイッチ
２４８    第１の電源部
２４８Ａ    制御用電源生成部
２５０    第２の電源部
２５０Ｈ    ２４Ｖ電源部
２５０Ｌ    ５Ｖ電源部
２５２    電源供給制御回路
２５４    電源線
２５６    第１のサブ電源スイッチ２５６（ＳＷ−１）
２５８    画像読取部電源供給部
２６０    画像形成部電源供給部
２６４    ファクシミリ通信制御回路電源供給部
２６６    ＵＩタッチパネル電源供給部
２６８    第２のサブ電源スイッチ（ＳＷ−２）
２７０    第３のサブ電源スイッチ（ＳＷ−３）
２７４    第５のサブ電源スイッチ（ＳＷ−５）
２７６    第６のサブ電源スイッチ（ＳＷ−６）